【手続補正書】
【提出日】平成18年10月19日(2006.10.19)
【手続補正１】
【補正対象書類名】明細書
【補正対象項目名】特許請求の範囲
【補正方法】変更
【補正の内容】
【特許請求の範囲】
【請求項１】  ボタンベース内に配設可能な表示部材と、
該表示部材の下方に配設されたバックライト用発光部材とを備えた表示部付き
スイッチにおいて、
前記表示部材と前記発光部材との間に、透過率が１０％〜９０％の範囲内であ
る拡散部材が配設されていることを特徴とする表示部付きスイッチ。
【請求項２】 ボタンベース内に配設可能な表示部材と、
該表示部材の下方に配設されたバックライト用発光部材とを備えた表示部付き
スイッチにおいて、
前記表示部材と前記発光部材との間に、集光部材が配設されていることを特徴
とする表示部付きスイッチ。
【請求項３】 ボタンベース内に配設可能な表示部材と、
該表示部材の下方に配設されたバックライト用発光部材とを備えた表示部付き
スイッチにおいて、
前記表示部材と前記発光部材との間に、反射部材が配設されていることを特徴
とする表示部付きスイッチ。
【請求項４】 ボタンベース内に配設可能な表示部材と、
該表示部材の下方に配設されたバックライト用発光部材とを備えた表示部付き
スイッチにおいて、
前記表示部材と前記発光部材との間に、一方の面側が拡散性を有し、他方の面
側が反射性を有した拡散兼反射部材が配設されていることを特徴とする表示部付
きスイッチ。
【請求項５】  請求項１〜４のいずれかの項に記載の表示部付きスイッチが
採用されたものであることを特徴とする電子機器。
【請求項６】 ボタンベース内に配設可能な表示部材と、
該表示部材の下方に配設されたバックライト用発光部材とを備え、
前記表示部材と前記発光部材との間に、拡散部材、集光部材、及び反射部材の
うちの少なくともいずれか一つが配設された、表示部付きスイッチを含んで構成
された電子機器であって、
前記表示部付きスイッチは、機能モードを切り替えるためのものであり、
前記表示部付きスイッチに対する押下操作が行われると、前記表示部材の表示
内容が変化するように構成されていることを特徴とする電子機器。
【請求項７】 前記表示部材は、機能モードを表示するものであり、
前記表示部付きスイッチに対する押下操作が行われると、前記表示部材に切替
後の機能モードが表示されるように構成されていることを特徴とする請求項６記
載の電子機器。
【手続補正２】
【補正対象書類名】明細書
【補正対象項目名】００１５
【補正方法】変更
【補正の内容】
【００１５】
本発明は上記課題に鑑みなされたものであって、視認性に優れた表示部付きス
イッチ、及び該表示部付きスイッチを採用した、使い勝手の良い電子機器を提供
することを目的としている。
【手続補正３】
【補正対象書類名】明細書
【補正対象項目名】００１６
【補正方法】変更
【補正の内容】
【００１６】
【課題を解決するための手段及びその効果】
上記目的を達成するために本発明に係る表示部付きスイッチ（１）は、ボタン
ベース内に配設可能な表示部材と、該表示部材の下方に配設されたバックライト
用発光部材とを備えた表示部付きスイッチにおいて、前記表示部材と前記発光部
材との間に、透過率が１０％〜９０％の範囲内である拡散部材が配設されている
ことを特徴としている。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】変更
【補正の内容】
【００１８】
上記した表示部付きスイッチ（１）によれば、前記表示部材と前記発光部材と
の間に、前記拡散部材が配設されているため、前記発光部材から発せられる光を
拡散させて、前記表示部材を均一に照明することが可能となる。また、前記拡散
部材の透過率が、１０％〜９０％の範囲内であるため、前記表示部材に対する照
明の均一性の向上が図られると共に、照明そのものの見映えを良くすることがで
きる。
【手続補正６】
【補正対象書類名】明細書
【補正対象項目名】００１９
【補正方法】変更
【補正の内容】
【００１９】
また本発明に係る表示部付きスイッチ（２）は、ボタンベース内に配設可能な
表示部材と、該表示部材の下方に配設されたバックライト用発光部材とを備えた
表示部付きスイッチにおいて、前記表示部材と前記発光部材との間に、集光部材
が配設されていることを特徴としている。
【手続補正７】
【補正対象書類名】明細書
【補正対象項目名】００２０
【補正方法】変更
【補正の内容】
【００２０】
上記した表示部付きスイッチ（２）によれば、前記表示部材と前記発光部材と
の間に、前記集光部材が配設されているため、前記発光部材の照明輝度を高める
ことができる。従って、より一層視認性に優れた表示部付きスイッチを実現する
ことができる。
【手続補正８】
【補正対象書類名】明細書
【補正対象項目名】００２１
【補正方法】変更
【補正の内容】
【００２１】
また本発明に係る表示部付きスイッチ（３）は、ボタンベース内に配設可能な
表示部材と、該表示部材の下方に配設されたバックライト用発光部材とを備えた
表示部付きスイッチにおいて、前記表示部材と前記発光部材との間に、反射部材
が配設されていることを特徴としている。
【手続補正９】
【補正対象書類名】明細書
【補正対象項目名】００２２
【補正方法】変更
【補正の内容】
【００２２】
上記した表示部付きスイッチ（３）によれば、前記表示部材と前記発光部材と
の間に、前記反射部材が配設されているため、前記表示部材の表面側（すなわち
、上方面側）から入射した太陽光などを前記反射部材で反射させることができる
。この反射された光は、バックライトから発せられる光と同じ効果を発揮するこ
とができる。
【手続補正１０】
【補正対象書類名】明細書
【補正対象項目名】００２４
【補正方法】変更
【補正の内容】
【００２４】
また本発明に係る表示部付きスイッチ（４）は、ボタンベース内に配設可能な
表示部材と、該表示部材の下方に配設されたバックライト用発光部材とを備えた
表示部付きスイッチにおいて、前記表示部材と前記発光部材との間に、一方の面
側が拡散性を有し、他方の面側が反射性を有した拡散兼反射部材が配設されてい
ることを特徴としている。
【手続補正１１】
【補正対象書類名】明細書
【補正対象項目名】００２５
【補正方法】変更
【補正の内容】
【００２５】
上記した表示部付きスイッチ（４）によれば、前記表示部材と前記発光部材と
の間に、拡散性を有した前記拡散兼反射部材が配設されているため、前記発光部
材から発せられる光を拡散させて、前記表示部材を均一に照明することが可能と
なる。
【手続補正１２】
【補正対象書類名】明細書
【補正対象項目名】００２８
【補正方法】変更
【補正の内容】
【００２８】
また、上記表示部付きスイッチ（１）〜（４）のいずれかにおいて、前記拡散
部材、前記集光部材、前記反射部材、前記拡散兼反射部材のうちのいずれかを、
前記表示部材と一体形成しても良い。
【手続補正１３】
【補正対象書類名】明細書
【補正対象項目名】００２９
【補正方法】削除
【補正の内容】
【手続補正１４】
【補正対象書類名】明細書
【補正対象項目名】００３１
【補正方法】変更
【補正の内容】
【００３１】
また本発明に係る電子機器（１）は、上記表示部付きスイッチ（１）〜（４）
のいずれかが採用されたものであることを特徴としている。
【手続補正１５】
【補正対象書類名】明細書
【補正対象項目名】００３２
【補正方法】変更
【補正の内容】
【００３２】
上記した電子機器（１）によれば、大変視認性に優れた表示部付きスイッチが
採用されているため、より一層の多機能化が図られることはもちろんのこと、大
変使い勝手の良い機器を実現することができる。
【手続補正１６】
【補正対象書類名】明細書
【補正対象項目名】００３３
【補正方法】変更
【補正の内容】
【００３３】
また本発明に係る電子機器（２）は、ボタンベース内に配設可能な表示部材と
、該表示部材の下方に配設されたバックライト用発光部材とを備え、前記表示部
材と前記発光部材との間に、拡散部材、集光部材、及び反射部材のうちの少なく
ともいずれか一つが配設された、表示部付きスイッチを含んで構成された電子機
器であって、前記表示部付きスイッチは、機能モードを切り替えるためのもので
あり、前記表示部付きスイッチに対する押下操作が行われると、前記表示部材の
表示内容が変化するように構成されていることを特徴としている。
【手続補正１７】
【補正対象書類名】明細書
【補正対象項目名】００３４
【補正方法】削除
【補正の内容】
【手続補正１８】
【補正対象書類名】明細書
【補正対象項目名】００３５
【補正方法】変更
【補正の内容】
【００３５】
また本発明に係る電子機器（３）は、上記電子機器（２）において、前記表示
部材は、機能モードを表示するものであり、前記表示部付きスイッチに対する押
下操作が行われると、前記表示部材に切替後の機能モードが表示されるように構
成されていることを特徴としている。
【手続補正１９】
【補正対象書類名】明細書
【補正対象項目名】００３６
【補正方法】変更
【補正の内容】
【００３６】
上記した電子機器（２）又は（３）によれば、前記表示部付きスイッチは機能
モードを切り替えるためのものであり、より一層の多機能化が図られることはも
ちろんのこと、大変使い勝手の良い機器を実現することができる。